(57)【要約】【課題】複数のスクランブル鍵に対応しつつ広告情報の促進を図るスクランブル放送システムを提供する。【解決手段】放送装置は、番組関連情報提供サーバ１０２で番組関連情報内にスクランブル鍵を挿入して送信し、番組とこの番組の関連情報である番組関連情報を対応付ける対応情報を受信装置に送信する。受信装置１０３は、上記対応情報を受信し、前記対応情報から、視聴する番組を選択し、前記視聴する番組に対応する番組関連情報を特定し、番組管理情報の視聴を行うことでスクランブル鍵を取得し、番組のスクランブル解除を行う。【選択図】図１
2006115075.tif 000002
【特許請求の範囲】
【請求項１】
デジタル放送番組を提供する放送局装置であって、
スクランブルを施した番組を受信装置に送信する番組送信手段と、
前記番組と前記番組の関連情報である番組関連情報とを対応付ける対応情報を作成する対応情報作成手段と、
前記対応情報を前記受信装置に送信する対応情報送信手段と、
前記番組関連情報に、スクランブル鍵を挿入して前記受信装置に送信する番組関連情報送信手段と、を具備する放送局装置。
【請求項２】
前記対応情報作成手段において、前記対応情報はさらに、前記番組のシーンを特定するシーン特定情報を含む、請求項１に記載の放送局装置。
【請求項３】
前記番組関連情報は、番組公告情報である、請求項２に記載の放送局装置。
【請求項４】
デジタル放送番組を受信する受信装置であって、
スクランブルを施した番組を受信する番組受信手段と、
前記番組と前記番組の関連情報である番組関連情報とを対応付ける対応情報を、受信する対応情報受信手段と、
前記番組関連情報を受信する番組関連情報受信手段と、
前記対応情報から、視聴する番組を選択し、前記視聴する番組に対応する番組関連情報を特定する視聴番組関連情報特定手段と、
前記特定された番組関連情報から、スクランブル鍵を抽出するスクランブル鍵抽出手段と、
前記視聴する番組のスクランブルを、前記抽出されたスクランブル鍵を用いて解除するスクランブル解除手段と、を具備する受信装置。
【請求項５】
前記対応情報はさらに、前記番組のシーンを特定するシーン特定情報を含む、請求項４に記載の受信装置。
【請求項６】
前記番組関連情報は、番組公告情報である、請求項５に記載の受信装置。
【請求項７】
デジタル放送番組を提供するデジタル放送提供方法であって、
スクランブルを施した番組を受信装置に送信する番組送信ステップと、
前記番組と前記番組の関連情報である番組関連情報とを対応付ける対応情報を作成する対応情報作成ステップと、
前記対応情報を前記受信装置に送信する対応情報送信ステップと、
前記番組関連情報に、スクランブル鍵を挿入して前記受信装置に送信する番組関連情報送信ステップと、を包含するデジタル放送提供方法。
【請求項８】
デジタル放送番組を受信するデジタル放送受信方法であって、
スクランブルを施した番組を受信する番組受信ステップと、
前記番組と前記番組の関連情報である番組関連情報とを対応付ける対応情報を、受信する対応情報受信ステップと、
前記番組関連情報を受信する番組関連情報受信ステップと、
前記対応情報から、視聴する番組を選択し、前記視聴する番組に対応する番組関連情報を特定する視聴番組関連情報特定ステップと、
前記特定された番組関連情報から、スクランブル鍵を抽出するスクランブル鍵抽出ステップと、
前記視聴する番組のスクランブルを、前記抽出されたスクランブル鍵を用いて解除するスクランブル解除ステップと、を具備する受信方法。
【発明の詳細な説明】
【技術分野】
【０００１】
本発明は、番組にスクランブルを施して放送し、視聴を許可された受信端末のみがスクランブルを解除することによって視聴を可能とする、スクランブル放送システムに関するものである。
【０００２】
特に、広告情報（コマーシャル）を視聴することで、視聴者が希望する番組のスクランブルを解除することを可能とするスクランブル解除の仕組みに適用されるものである。
【背景技術】
【０００３】
従来のスクランブル放送システムとしては、共通情報（ＥＣＭ：Ｅｎｔｉｔｌｅｍｅｎｔ  Ｃｏｎｔｒｏｌ  Ｍｅｓｓａｇｅ）をコマーシャル中に挿入しているものがあった（例えば、特許文献１参照）。図６は、前記特許文献１に記載された従来のスクランブル放送を送出するビデオ送信機のブロック図を示すものである。
【０００４】
図６において、デジタルビデオ送信機は、デジタル放送番組を供給する番組供給サーバ１０１と、コマーシャルを供給するＣＭサーバ３０２と、デジタル放送番組を所定のワークキーを使用してスクランブルするスクランブラ３０３と、スクランブルされたデジタル放送番組データ、コマーシャルデータ、ワークキーを含んだ番組情報を有するＥＣＭをコマーシャルデータに挿入してマルチプレクサ３０４で多重化させてデジタル放送データを生成するＣＡＳＳコントローラ３０５から構成される。
【０００５】
このような構成によって、放送番組の受信側ではコマーシャル中の放送データから該当するトランスポートストリームを受信し、そのコマーシャルに含まれるワークキーを含むＥＣＭを抽出し、そのＥＣＭ中に含まれるワークキーでディスクランブルすることで所望のデジタル放送番組を得るようにしておくことで、必ず一回のコマーシャルを見る機会を放送番組受信者に与えるようにしたテレビ送受信機を実現していた。
【０００６】
また、図７にＴＳ（トランスポートストリーム）パケット中のＥＣＭセクション構造を示す。
【０００７】
図７に示すように、ＥＣＭセクションはＥＣＭセクションヘッダ、ＥＣＭ本体、セクションＣＲＣから構成される。また、ＥＣＭ本体では、プロトコル番号、有料事業体識別、ワーク鍵識別、判定タイプ、年月日時分、録画制御と、スクランブル鍵（Ｏｄｄ）とスクランブル鍵（Ｅｖｅｎ）の２つの鍵を有する。この２つの鍵は上記でのワークキーに相当し、スクランブル解除を行う鍵として使用していた。
【特許文献１】特開２００２−５１３２１号公報（第３−４頁、図１、図７）
【発明の開示】
【発明が解決しようとする課題】
【０００８】
しかしながら、前記従来の構成では、該ワークキーを含んだＥＣＭを放送番組本体より前のコマーシャル部分に挿入して送るため、必ず視聴者が希望する番組の直前に該当するコマーシャルを視聴する必要がある。このため、たまたま視聴者がコマーシャル配信時にチャンネルを合わせていなかった時など、番組のスクランブルを解除できないことが頻繁に起こる可能性があった。
【０００９】
また、ＥＣＭ中に含まれるスクランブル鍵はＯｄｄとＥｖｅｎの２種類のみであり、１つのコマーシャル視聴によって書替え可能な鍵は２つに限定されてしまう。このため、コマーシャルからコマーシャルの間は２種類のみのスクランブルを施した番組しか配信できなかった。
【課題を解決するための手段】
【００１０】
前記従来の課題を解決するために、本発明のデジタル放送番組を提供する放送局装置は、
スクランブルを施した番組を受信装置に送信する番組送信手段と、
前記番組と前記番組の関連情報である番組関連情報とを対応付ける対応情報を作成する対応情報作成手段と、
前記対応情報を前記受信装置に送信する対応情報送信手段と、
前記番組関連情報に、スクランブル鍵を挿入して前記受信装置に送信する番組関連情報送信手段と、を具備する。前記スクランブル鍵は、ＥＣＭに挿入されて送信されてもよい。
【００１１】
本発明はまた、デジタル放送番組を受信する受信装置であって、
スクランブルを施した番組を受信する番組受信手段と、
前記番組と前記番組の関連情報である番組関連情報とを対応付ける対応情報を、受信する対応情報受信手段と、
前記番組関連情報を受信する番組関連情報受信手段と、
前記対応情報から、視聴する番組を選択し、前記視聴する番組に対応する番組関連情報を特定する視聴番組関連情報特定手段と、
前記特定された番組関連情報から、スクランブル鍵を抽出するスクランブル鍵抽出手段と、
前記視聴する番組のスクランブルを、前記抽出されたスクランブル鍵を用いて解除するスクランブル解除手段と、を具備する受信装置を提供する。
【００１２】
本発明はまた、デジタル放送番組を提供するデジタル放送提供方法であって、
スクランブルを施した番組を受信装置に送信する番組送信ステップと、
前記番組と前記番組の関連情報である番組関連情報とを対応付ける対応情報を作成する対応情報作成ステップと、
前記対応情報を前記受信装置に送信する対応情報送信ステップと、
前記番組関連情報に、スクランブル鍵を挿入して前記受信装置に送信する番組関連情報送信ステップと、を包含するデジタル放送提供方法を提供する。
【００１３】
本発明はまた、デジタル放送番組を受信するデジタル放送受信方法であって、
スクランブルを施した番組を受信する番組受信ステップと、
前記番組と前記番組の関連情報である番組関連情報とを対応付ける対応情報を、受信する対応情報受信ステップと、
前記番組関連情報を受信する番組関連情報受信ステップと、
前記対応情報から、視聴する番組を選択し、前記視聴する番組に対応する番組関連情報を特定する視聴番組関連情報特定ステップと、
前記特定された番組関連情報から、スクランブル鍵を抽出するスクランブル鍵抽出ステップと、
前記視聴する番組のスクランブルを、前記抽出されたスクランブル鍵を用いて解除するスクランブル解除ステップと、を具備する受信方法を提供する。
【００１４】
本発明の一実施態様において、前記対応情報作成手段における、前記対応情報はさらに、前記番組のシーンを特定するシーン特定情報を含む。
【００１５】
前記シーン特定情報としては、スクランブル時刻情報、およびシーンを特定するためのフラグが挙げられる。
【００１６】
本発明の一実施態様において、前記番組関連情報は、番組公告情報である。
【００１７】
本発明はまた、上記デジタル放送提供方法または上記デジタル放送受信方法を、コンピュータに実行させるためのプログラム、ならびにこれらを記録した記録媒体を包含する。
【００１８】
本構成によって、番組関連情報視聴時にスクランブル鍵を保持し、対応情報によってスクランブル時刻を指定してスクランブルを解除することが可能となる。また、複数のスクランブル鍵を保持しておくことで、スクランブルの種類を増やすことが可能となる。
【発明の効果】
【００１９】
本発明によれば、番組と前記番組の関連情報である番組関連情報とを対応付ける対応情報から、視聴する番組を選択し、前記視聴する番組に対応する番組関連情報を特定し、番組管理情報の視聴を行うことで、視聴を希望する番組（または番組の所望シーン）のスクランブル鍵を取得し、番組のスクランブル解除を行うことができる。
【発明を実施するための最良の形態】
【００２０】
以下、本発明の実施の形態について、図面を参照しながら説明する。
【００２１】
（実施の形態１）
次に、本発明における放送局装置と受信装置の実施の形態について図面を参照しながら説明を行う。
【００２２】
図１は、本発明の実施の形態１における放送局装置構成と受信装置構成を含むスクランブル放送システムの概要を示す図である。
【００２３】
図１の放送局内の設備において、番組提供サーバ１０６から提供される番組は、番組管理装置１０１によって、番組関連情報提供サーバ１０２から提供される広告情報等の番組関連情報と対応付けを行い、対応情報を作成する。この対応情報は図２に示すように番組識別情報とスクランブル鍵番号と番組中のシーンを特定するシーン特定情報と、番組を視聴するために必要な番組関連情報で構成され、各番組に対応付けを行った番組関連情報の管理を行う。
【００２４】
例として、図２の対応情報は番組Ａ、番組Ｂ、番組Ｃの３種類の番組に対して、５種類のスクランブル鍵を用いてスクランブルを施し、それに対応した５種類の番組番組関連情報を含んでいる。また、シーン特定情報としては、番組中の時刻情報や番組メタ情報を用いる。
【００２５】
番組管理装置１０１からは、スクランブル鍵をスクランブラ１０７に送ると共に、番組関連情報提供サーバ１０２へと同じスクランブル鍵を送る。さらに、番組と番組関連情報との対応情報も番組関連情報提供サーバ１０２へと送る。番組関連情報提供サーバ１０２では、前記対応情報を参照して、番組関連情報中にスクランブル鍵を挿入する。
【００２６】
ここで、番組関連情報コンテンツは、番組や商品のコマーシャルやプロモーション映像、ＵＲＬ等の、番組内容に関連したコンテンツで構成される。
【００２７】
なお、対応情報中で、番組関連情報中と対応するスクランブル鍵は一つないし複数の情報であり、一つの番組関連情報に複数のスクランブル鍵が含まれる構成でもよい。また、一つの番組関連情報が複数の番組と対応している場合や、逆に一つの番組に対して複数の番組関連情報が関連している場合も想定される。
【００２８】
次に、図１における受信装置１０３での処理を示す。
【００２９】
スクランブラ１０７によってスクランブルを施された番組や番組関連情報はマルチプレクサ１０８によって伝送路へと配信され、受信装置１０３によって受信する。
【００３０】
受信装置での処理は図３に示す通りである。図３において、図１と同じ構成要素については同じ符号を用い、説明を省略する。
【００３１】
図３において、受信側は受信装置１０３、ＩＣカード１０４、画面表示装置１０５を備える。受信装置１０３が番組関連情報を受信した場合には、視聴者がその番組関連情報を視聴すると、中に含まれているスクランブル鍵がＩＣカード１０４へと送られ、そこで各鍵情報を保持する。また、対応情報によって、番組と番組を視聴するために必要な番組関連情報中に含まれるスクランブル鍵がＩＣカード内で関連付けられる。
【００３２】
受信装置１０３にスクランブルが施された番組が受信された場合は、その番組の情報として、番組識別情報と放送時刻をＩＣカード１０４へと送り、それに対応したシーン特定情報を検索する。もし対応するシーン特定情報が存在しない場合には、視聴情報表示手段２０１によって受信装置１０３から画面表示装置１０５へとその状況を視聴者に伝えるメッセージを表示する。
【００３３】
既に対応する番組関連情報を視聴している場合には、対応するスクランブル鍵が存在するため、対応情報によって番組関連情報を参照して視聴することで、ＩＣカード１０４から受信装置１０３へとスクランブル鍵を送り、受信装置１０３のスクランブル解除手段２０２において番組のスクランブル解除を行う。
【００３４】
なお、ＩＣカード１０４には複数のスクランブル鍵とシーン特定情報を保持することが可能であり、対応情報に従って受信装置１０３へスクランブル鍵の供給を行う。
【００３５】
図４に本発明の実施の形態１におけるスクランブル鍵の供給処理の一例を示す。図４において、図３と同じ構成要素については同じ符号を用い、説明を省略する。
【００３６】
図４のＩＣカード１０４では、既に番組Ａ、番組Ｂ、番組Ｃに対応した番組関連情報を視聴者が視聴している状態である。また、対応情報を用いることで、それらの番組のシーン情報に対応したスクランブル鍵も保持されている。例えば受信装置１０３で番組Ｃの視聴を行う場合、その識別情報と視聴しているシーン情報がＩＣカード１０４へと送られる。そこでシーン特定情報とスクランブル鍵が関連付けられ、スクランブルを解除するのに必要なスクランブル鍵４は受信装置１０３へと送られる。この鍵を用いて番組Ｃのスクランブルを解除し、番組視聴が可能となる。
【００３７】
かかる構成によれば、スクランブルが施された放送番組を視聴するためには、視聴者が番組関連情報を視聴することでスクランブル鍵を獲ることが必要となる。このことにより、番組関連情報を早送り等の特殊再生によって飛ばすことを防いだり、受信装置による番組関連情報の提示によって、番組関連情報の視聴を促進させたりすることが可能となる。
【００３８】
また、ＩＣカード内には複数のシーン特定情報とスクランブル鍵が蓄積されているために、番組管理装置において各番組に対して細かなスクランブル設定を行うことが可能となり、番組関連情報と視聴制御を様々なパターンで関連付けることができる。
【００３９】
本実施の形態においては、受信側のＩＣカード１０４が、シーン特定情報保持部およびスクランブル鍵保持部を備えているが、シーン特定情報保持部およびスクランブル鍵保持部は、受信装置１０３に設けられていてもよい。
【００４０】
なお、前記の説明では、スクランブル解除時に予め番組関連情報を視聴者が見ていることを前提にしており、番組のスクランブル解除が行えない場合には、視聴情報表示手段によって関連する番組関連情報を表示する。
【００４１】
（実施の形態２）
図５は、本発明の実施の形態２におけるスクランブル鍵の供給処理の一例を示す。図５において、図４と同じ構成要素については同じ符号を用い、説明を省略する。また、本発明の実施の形態２では、番組や番組関連情報の対応付けや、伝送路を通じた番組の配信の方法は実施の形態１と同様である。
【００４２】
図５において、受信装置１０３は番組に関連する番組関連情報を受信して保持しておくものとする。ただし視聴者はまだこの番組関連情報を視聴していない状態である。また、番組関連情報を受信した際には、その中に含まれる番組との対応情報を抽出して保持しておくものとする。
【００４３】
例えば、受信装置１０３番組Ｃを視聴する場合には、受信装置１０３に保持されている対応情報から判断して、番組関連情報４を視聴する必要がある。視聴者が番組関連情報４を視聴した場合には、そこに含まれるＥＣＭを抽出して受信装置１０３からＩＣカード１０４へと送る。ＩＣカード１０４ではＥＣＭから番組Ｃの視聴に必要なスクランブル鍵４を抽出して受信装置１０３へと鍵を返信する。
【００４４】
かかる構成によって、ＩＣカード１０４は既存の限定受信の関連情報であるＥＣＭを用いて視聴制御を実現しているため、受信機の対応によって現行のＣＡＳ（Ｃｏｎｄｉｔｉｏｎａｌ  Ａｃｃｅｓｓ  Ｓｙｓｔｅｍ）の用いられるＩＣカードを適用することが可能となる。
【産業上の利用可能性】
【００４５】
本発明にかかるスクランブル放送システムは、放送番組とそれに関連する広告情報との対応付けを行う手段を有し、広告情報視聴を促進させる手段として有用である。また、放送番組とプロモーション映像等の関連する情報を関連させる他、視聴者のニーズに対応させたスクランブル処理等の用途にも応用できる。
【図面の簡単な説明】
【００４６】
【図１】本発明の実施の形態１におけるスクランブル放送システムの概要を示す図
【図２】本発明の実施の形態１における対応情報の構成の一例を示す図
【図３】本発明の実施の形態１における受信側での処理内容を示す図
【図４】本発明の実施の形態１におけるスクランブル鍵の供給処理の一例を示す図
【図５】本発明の実施の形態２におけるスクランブル鍵の供給処理の一例を示す図
【図６】従来のスクランブル放送を送出するビデオ送信機のブロック図を示す図
【図７】ＴＳ（トランスポートストリーム）パケット中のＥＣＭセクション構造を示す図
【符号の説明】
【００４７】
１０１    番組管理装置
１０２    番組関連情報提供サーバ
１０３    受信装置
１０４    ＩＣカード
１０５    画面表示装置
３０１    番組提供サーバ
３０２    ＣＭ提供サーバ
３０３    スクランブラ
３０４    マルチプレクサ
３０５    ＣＡＳＳコントローラ
【図１】
2006115075.tif 000003
【図２】
2006115075.tif 000004
【図３】
2006115075.tif 000005
【図４】
2006115075.tif 000006
【図５】
2006115075.tif 000007
【図６】
2006115075.tif 000008
【図７】
2006115075.tif 000009